(57)【特許請求の範囲】
【請求項１】
バランスウエイト用の液体を収納する液体収納部と前記液体収納部に液体を吸入する吸排機構を備えている釣り竿であって、
前記吸排機構が、前記液体収納部を拡縮可能に構成するもので、
前記液体収納部が蛇腹状の収納部であり、前記蛇腹状の液体収納部から前記液体の注入口を備えた細管部を延出してあり、
前記蛇腹状の収納部を元竿の竿尻端部内に収納するとともに前記細管部を竿尻端の開口から突出させて設け、前記蛇腹状の液体収納部を縮めて前記竿尻端の開口内に前記細管部を一旦引退させた後に液体収納部に対する縮ませる力を解放して前記液体収納部内に液体を取り込むように構成するとともに、前記細管部に、その細管部が前記開口内に引退した際に取り込む液体量を示す複数の表示を設け、前記竿尻端の開口位置に至った前記表示が示す表示数値が前記取り込む液体量を示すように構成してある釣り竿。
【請求項２】
前記元竿の竿尻端に尻栓を螺着して設けるとともに、前記尻栓を前記元竿の竿尻端に螺着した状態で前記竿尻端の開口部より突出する前記細管部を覆う長尺体に構成してある請求項１記載の釣り竿。
【請求項３】
前記尻栓の後端にキャップ体を装着し、前記キャップ体の後端内面に前記細管部の先端を収納する凹部を形成してある請求項２記載の釣り竿。
【発明の詳細な説明】
【技術分野】
【０００１】
本発明は、釣り竿のバランスウエイト機構とバランスウエイト機構を備えた釣り竿に関する。
【背景技術】
【０００２】
沖合いに向けて仕掛けを投げ出す投げ竿では、飛距離を稼ぐ為に竿の重量バランスが重要である。その為に、重量バランスの改善のために、竿尻端に金属製のバランスウエイトを備えていた（特許文献１参照）。
【０００３】
【特許文献１】特開２００３−６１５２１号公報（段落番号〔０００９〕〔００１０〕及び、図１、図２）
【発明の開示】
【発明が解決しようとする課題】
【０００４】
上記したようなバランスウエイトにあっては、釣り場まで携行する必要が有るためにその重量分だけは携行負担となるとともに、バランスウエイトとしては、重さを代えた複数種類のバランスウエイトを装備するので、益々、携行負担が重くなるものであった。
しかも、複数種類のバランスウエイトが準備されていても、バランスウエイト自体は金属製等の個体であるので、一つのバランスウエイトでは一つの重量分しか機能しないものであるので、このバランスウエイトをいかに組み合わせても現出できない重量が必要となる場合もあり、最適なバランスに設定することが困難となる場合もあった。
【０００５】
本発明の目的は、携行負担を軽減するとともに、最適なバランスに設定することが容易に行える釣り竿を提供する点にある。
【課題を解決するための手段】
【０００６】
〔構成〕
請求項１に係る発明の特徴構成は、バランスウエイト用の液体を収納する液体収納部と前記液体収納部に液体を吸入する吸排機構を備えている釣り竿であって、前記吸排機構が、前記液体収納部を拡縮可能に構成するもので、前記液体収納部が蛇腹状の収納部であり、前記蛇腹状の液体収納部から前記液体の注入口を備えた細管部を延出してあり、前記蛇腹状の収納部を元竿の竿尻端部内に収納するとともに前記細管部を竿尻端の開口から突出させて設け、前記蛇腹状の液体収納部を縮めて前記竿尻端の開口内に前記細管部を一旦引退させた後に液体収納部に対する縮ませる力を解放して前記液体収納部内に液体を取り込むように構成するとともに、前記細管部に、その細管部が前記開口内に引退した際に取り込む液体量を示す複数の表示を設け、前記竿尻端の開口位置に至った前記表示が示す表示数値が前記取り込む液体量を示すように構成している点にあり、その作用効果は次の通りである。
【０００７】
〔作用効果〕
バランスウエイトとして液体を利用することのできる液体収納部を形成したので、その液体を釣り場に向かう場合に携行する必要はなく、吸排機構を操作して釣り場の液体を液体収納部に取り込むことで調達することが可能である。
しかも、液体をバランスウエイトとして利用するので、液体収納部内に取り込む量を任意に設定できる。
つまり、液体収納部を拡縮可能な収納部に形成したので、その収納部を一旦縮小させた状態でその縮小させた力を解除し自由状態とすると、収納部は元の状態に復帰する過程で液体を吸引する。
このように液体収納部を拡縮可能な収納部に形成することによって、その収納部自体が吸排機構としての機能を備えることとなり、液体を吸引する為の別個の機構を設ける必要はない。
液体収納部が蛇腹状に形成してあるので、その蛇腹部分を拡縮することによって、細管部から液体を吸入することができる。しかも、液体収納部とは別に細管部を有しているので、液体収納部を液体中に浸ける必要はなく、液体の吸入操作が容易に行い得る。
液体収納部内に液体を取り込む場合には、細管部を開口から内部に押し込む。そうすると、液体収納部が縮小してその状態から細管部への押込み力を解放すると、収縮した液体収納部が元の状態に復帰拡大して、液体収納部内に液体が取り込まれる。
この場合に、細管部に記されている表示のうち細管部が押し込まれた状態で丁度開口端に至った表示の示す数値が、液体収納部内に取り込まれる液体量を表示する。
釣り人は所望量の液体を取り込む場合には、所望量を示す表示が開口端に至るまで細管部を押し込むだけの簡単な操作で済む。
これによって、可搬性に優れバランス量の設定も容易な釣り竿を提供できるに至った。
【０００８】
請求項２に係る発明の特徴構成は、請求項１にかかる発明において、前記元竿の竿尻端に尻栓を螺着して設けるとともに、前記尻栓を前記元竿の竿尻端に螺着した状態で前記竿尻端の開口部より突出する前記細管部を覆う長尺体に構成してある点にあり、その作用効果は次の通りである。
【０００９】
〔作用効果〕
液体収納部内に液体を取り込む場合には、細管部を開口端から突出させる状態に切り換える必要がある。一方、釣り場への移動時には、開口端から突出する細管部を保護する必要がある。そこで、尻栓を長尺体に形成することによって、細管部を覆うことが可能になり、尻栓の有効な活用が可能になった。
【００１０】
請求項３に係る発明の特徴構成は、前記尻栓の後端にキャップ体を装着し、前記キャップ体の後端内面に前記細管部の先端を収納する凹部を形成してある点にあり、その作用効果は次の通りである。
【００１１】
〔作用効果〕
キャップ体の内部に形成した凹部に、細管部の先端を収納することができるので、尻栓を施して釣り場へ釣り竿を携行する場合に、細管部の先端が振れを生じて尻栓の内壁に強よく当接して傷むことを未然に回避できる。
【発明を実施するための最良の形態】
【００１２】
キス釣り等に使用される投げ竿について説明する。図１に示すように、投げ竿は、元竿１にリール６を装着する板状リールシート５を取付糸７で巻き付け、元竿１の竿尻端とその竿尻端に取り付けてある尻栓８との内部空間に、バランスウエイト用の液体を収納する液体収納部９Ａと前記液体収納部９Ａに液体を注入しかつ前記液体収納部９Ａから液体を排出する吸排機構Ｂを備えて、構成されている。
【００１３】
バランスウエイト機構Ｃについて説明する。
バランスウエイト機構Ｃは、バランスウエイト用の液体を収納する液体収納部９Ａと前記液体収納部９Ａに液体を注入しかつ前記液体収納部９Ａから液体を排出する吸排機構Ｂとでなる。
図２及び図３に示すように、液体収納部９Ａは、拡縮可能な蛇腹状の襞を形成した外周面を有するとともに、一端に長管状の細管部９Ｂを延出して、スポイトのように液体の吸入排出を任意に行うことのでき吸排機構Ｂとしての機能を備えて構成されている。
細管部９Ｂには、前記液体収納部９Ａに液体を注入する注入口９ｂと、前記液体収納部９Ａから液体を排出する排出口９ｂとを設けてあり、注入口９ｂと排出口９ｂとは同一口で兼用してある。
【００１４】
図２及び図３に示すように、元竿１の後部を拡径した膨出部１Ａに形成するとともに、膨出部１Ａの内部空間内に液体収納部９Ａを収納するとともに、後端開口１ａより後ろ向きに細管部９Ｂを延出してある。後端開口１ａの近傍には、穴用止め輪２が装着してあり、この穴用止め輪２に当接して液体収納部９Ａの内部空間からの突出が規制されている。
【００１５】
図２及び図３に示すように、細管部９Ｂには、その管部の外周面に管部の軸線に沿って表示３が印字されている。表示３には、バランスウエイトとなる液体の液体収納部９Ａ内に収納される収納量を示す数値が示してあり、液体収納部９Ａに近い側が数値は小さく、遠い側が数値は大きくなっている。
【００１６】
図３（イ）に示すように、元竿１の後部を水中に浸した状態で、細管部９Ｂを元竿１内に押し込むと蛇腹状の液体収納部９Ａがその襞部分を縮めて縮小する。その縮小状態から細管部９Ｂを自由状態に戻すと、液体収納部９Ａはその襞部分を伸ばして拡大することとなる。図３（ロ）に示すように、この拡大する場合に、注入口９ｂから水を吸い込み、吸い込んだ水を液体収納部９Ａに収納する。吸い込んだ水を排出する場合には、再度細管部９Ｂを開口内に押し込むことによって、排出することができる。
【００１７】
このように、液体収納部９Ａに対して、襞部分の拡縮作用を利用して細管部９Ｂを出退させることによって、水の吸い込みと排出とを行うことができる。このように、液体収納部９Ａと細管部９Ｂとを、前記液体収納部９Ａに液体を注入しかつ前記液体収納部９Ａから液体を排出する吸排機構Ｂに兼用構成してある。
【００１８】
表示３は、図３（イ）に示すように、細管部９Ｂが開口内に押し込まれた状態で、元竿１の開口端位置に位置している表示３の数値が、液体収納部９Ａ内に吸い込み得る水量を表している。したがって、釣り人は表示３を確認しながら、所望の数値が記されている位置まで、細管部９Ｂを押込み操作するだけで、所望のバランスウエイト量を得ることができる。
【００１９】
次に、尻栓８について説明する。図１及び図２に示すように、尻栓８は、元竿１等の通常の竿体と同様に、炭素繊維等の強化繊維を引き揃えたものに熱硬化性樹脂等の樹脂を含浸させて形成したプリプレグを筒状に成形したものであり、軸線方向に長くなっている。尻栓８の竿先側部８Ａには、その内周面に雌ネジ８ａが刻設されている。一方、元竿１の膨出部１Ａの外周面に雄ネジ１ｃを形成し、ネジ８ａ、１ｃ同士の螺合によって、尻栓８を元竿１に対して着脱自在に構成してある。
【００２０】
図２に示すように、尻栓８の後端には筒状体の開口を閉塞する金属製等のキャップ体８Ｂが設けてあり、このキャップ体８Ｂの内部に座ゴム８ｂが装着してある。座ゴム８ｂの中心位置には水抜き孔８ｃを備えた凹部８ｄが形成してあり、尻栓８を元竿１に取り付けた際に、細管部９Ｂの先端がその凹部８ｄ内に入り込み、その細管部９Ｂが保護される構成を採っている。
ここでは、座ゴム８ｂを金属製等のキャップ体８Ｂに座ゴム８ｂを取り付ける構成を採ったが、キャップ体８Ｂの部分も座ゴム８ｂで構成してもよい。
【００２１】
以上のような構成によって、釣り場に至るまでは、液体収納部９Ａを空にして携行し、釣り場において尻栓８を取り外し、細管部９Ｂを液面に浸し、所望の表示３まで縮ませて、液体を液体収納部９Ａ内に取り込むことができる。釣りを終えた場合には、細管部９Ｂを再度縮ませて液体を排出し、液体収納部９Ａを空にした状態で仕舞い処理することができる。
このように、バランスウエイト機構Ｃを携行する必要はなく現地調達が可能であるので、利便性が高いものである。
【００２２】
〔別実施形態〕
（１） バランスウエイト機構Ｃを構成するのに、蛇腹状の液体収納部９Ａとその先端側の細管部９Ｂとで構成したが、細管部９Ｂを省略し、蛇腹状の液体収納部９Ａだけで構成し、吸排機構Ｂとして液体収納部９Ａの細管部９Ｂの相当位置に細孔を形成してもよい。
（２） 液体収納部９Ａとしては、必ずしも、蛇腹状の襞を備える必要はなく、通常の円筒状のものでよく、ゴムのような弾性体で膨張収縮が容易なものであればよい。
【図面の簡単な説明】
【００２３】
【図１】投げ竿を示す側面図
【図２】（イ）は、液体収納部を内装した元竿の竿尻端に尻栓を被着した状態を示す縦断側面図、（ロ）は、液体収納部を内装した元竿から取り外した尻栓を示す分解縦断側面図
【図３】（イ）は、液体収納部を縮小させて液体を取り入れる前の状態を示す縦断側面図、（ロ）は、液体収納部への縮小力を解放して液体を取り入れた後の状態を示す縦断側面図
【符号の説明】
【００２４】
３     表示
８     尻栓
８Ｂ   キャップ体
８ｄ   凹部
９Ａ   液体収納部
９Ｂ   細管部
９ｂ   注入口（排出口）
Ｂ     吸排機構
Ｃ     バランスウエイト機構
【図１】
0004730893.tif 000002
【図２】
0004730893.tif 000003
【図３】
0004730893.tif 000004